(57)【要約】【課題】冷房機器の冷気吹き出し口から吐き出される冷気をきのこ栽培部屋内の全体にほぼ均等に送り込むことのできる、冷房機器の冷気拡散装置を提供する。【解決手段】駆動手段４０により、回転軸２０に所定間隔ずつあけて、回転軸２０に対して同一方向にほぼ同一角度に傾斜させて串刺し状に並べて取着された複数枚の円板、楕円板又はそれらに似た形状の板３０を、冷房機器の冷気吹き出し口１２の前方で回転軸２０と共に回転させる。そして、その回転軸２０に串刺し状に並べて取着された複数枚の円板、楕円板又はそれらに似た形状の板３０を、冷房機器の冷気吹き出し口１２の前方から見て、繰り返し連続して順に、斜め右側に倒したり、斜め垂直に起立させたり、又は斜め左側に倒したりし続ける。【選択図】図１
0003117127.tif 000002
【実用新案登録請求の範囲】
【請求項１】
冷房機器の冷気吹き出し口の前方に、回転軸が前記冷気吹き出し口とほぼ平行に回転自在に配置され、その回転軸が前記冷気吹き出し口の前方に回転軸に対して起立させて並べて配置された複数枚の円板、楕円板又はそれらに似た形状の板の中心部に連続して挿通されて、その複数枚の円板、楕円板又はそれらに似た形状の板が、前記回転軸に所定間隔ずつあけて、回転軸に対して同一方向にほぼ同一角度に傾斜させて、前記冷気吹き出し口の前方で回転軸と共に回転可能に串刺し状に並べて取着され、回転軸には、該回転軸を回転させる駆動手段が連結されてなることを特徴とする冷房機器の冷気拡散装置。
【請求項２】
前記複数枚の円板、楕円板又はそれらに似た形状の板が、前記回転軸に対して、同一方向に約２０〜７０度のほぼ同一角度に傾斜させて、回転軸に串刺し状に並べて取着されたことを特徴とする請求項１記載の冷房機器の冷気拡散装置。
【請求項３】
前記駆動手段が、該駆動手段が連結された回転軸の回転速度を所定範囲以内で変更させる速度可変機構が備えられたものであることを特徴とする請求項１記載の冷房機器の冷気拡散装置。
【考案の詳細な説明】
【技術分野】
【０００１】
本考案は、きのこの栽培部屋内を冷却する冷房機器の冷気吹き出し口から吐き出される冷気をきのこ栽培部屋内の全体にほぼ均等に広く行き渡らせるための、冷房機器の冷気拡散装置に関する。
【背景技術】
【０００２】
従来より、しいたけ、えのき茸などのきのこは、所定の人工気象条件下に保たれたきのこ栽培部屋内で人工栽培されている。
このきのこの人工栽培においては、広口の複数本のきのこ栽培瓶に収容された培地から発芽させたきのこを、きのこ栽培瓶の瓶口を通して、その上方に収穫可能な大きさまでに生育させている。
【０００３】
このきのこ栽培瓶を用いて、きのこを人工栽培する工程のうちの、きのこ栽培瓶内の培地にきのこの菌糸を蔓延させるきのこの培養期においては、そのきのこの菌糸を培養中の培地が収容された複数本のきのこ栽培瓶を、約１３〜２０℃に冷却されたきのこ栽培部屋内の棚に並べて載置している。
【０００４】
その際には、その培養期にあるきのこを栽培中の培地が収容されたきのこ栽培瓶が置かれたきのこ栽培部屋内を、その部屋内に設置された冷房機器の冷気吹き出し口から吐き出される冷気により、上記の約１３〜２０℃に冷却している。
また、その際には、きのこ栽培部屋内の天井等に付設された扇風機により、きのこ栽培部屋内の空気を撹拌している。そして、上記の冷房機器の冷気吹き出し口から吐き出される冷気を、きのこ栽培部屋内の全体に満遍なくほぼ均等に行き渡らせている。そして、その冷気により、きのこ栽培部屋内の上下等で温度差が生じないように、きのこ栽培部屋内の全体をほぼ均等の温度に冷却し続けている。
【０００５】
また、上記のきのこの菌糸を蔓延させた培地からきのこを発芽させる発芽期やその発芽させたきのこを収穫するまでに生育させる生育期においても、その発芽期や生育期にあるきのこを栽培中の培地が収容された複数本のきのこ栽培瓶を約２〜２０℃に冷却されたきのこ栽培部屋内の棚に並べて載置している。
そして、その際にも、そのきのこ栽培部屋内の天井等に付設された扇風機により、きのこ栽培部屋内の空気を撹拌している。そして、そのきのこ栽培部屋内に設置された冷房機器の冷気吹き出し口から吐き出される冷気により、そのきのこ栽培部屋内の全体をほぼ均等の温度に冷却し続けている。
【特許文献１】特開平０６−１２９６８１号公報
【考案の開示】
【考案が解決しようとする課題】
【０００６】
しかしながら、上記のようにして、冷房機器の冷気吹き出し口から吐き出される冷気を、きのこ栽培部屋内の天井等に付設された扇風機により撹拌した場合には、その扇風機が付設された天井付近等のきのこ栽培部屋内の一部の空気しか撹拌されなかった。そして、その他のきのこ栽培部屋内の床面近くの空気は、撹拌されずに、床面近くに停滞し続けた。
そのために、そのきのこ栽培部屋内の床面近くに比重の大きい冷気が停滞し続けて、そのきのこ栽培部屋内の上下等で大きな温度差が生じた。
その結果、そのきのこ栽培部屋内の上部と下部の棚に置かれたきのこ栽培瓶内の培地で栽培中のきのこの生育状態に大きなばらつきが生じた。
加えて、そのきのこ栽培部屋内の床面近くの棚に置かれたきのこ栽培瓶内の培地が過度に冷却されて、その培地で栽培中のきのこが弱体化した。
【０００７】
それと共に、そのきのこ栽培部屋内の床面近くに、生育中のきのこの菌糸が発生させる比重の大きい二酸化炭素が滞留し続けた。そして、その二酸化炭素が、きのこ栽培部屋内の床面近くの棚に置かれたきのこ栽培瓶内の培地で栽培中のきのこの生育に悪影響を与えた。
【０００８】
本考案は、このような課題を解消可能な、きのこ栽培部屋に設置された冷房機器の冷気吹き出し口から吐き出される冷気をきのこ栽培部屋内の全体にほぼ均等に送り込んで、そのきのこ栽培部屋内の全体をほぼ均等に冷却したり、きのこ栽培部屋内の空気の全体を満遍なく撹拌したりできる、冷房機器の冷気拡散装置（以下、単に冷気拡散装置という）を提供とすることを目的としている。
【課題を解決するための手段】
【０００９】
上記の目的を達成するために、本考案の冷気拡散装置は、冷房機器の冷気吹き出し口の前方に、回転軸が前記冷気吹き出し口とほぼ平行に回転自在に配置され、その回転軸が前記冷気吹き出し口の前方に回転軸に対して起立させて並べて配置された複数枚の円板、楕円板又はそれらに似た形状の板の中心部に連続して挿通されて、その複数枚の円板、楕円板又はそれらに似た形状の板が、前記回転軸に所定間隔ずつあけて、回転軸に対して同一方向にほぼ同一角度に傾斜させて、前記冷気吹き出し口の前方で回転軸と共に回転可能に串刺し状に並べて取着され、回転軸には、該回転軸を回転させる駆動手段が連結されてなることを特徴としている。
【００１０】
この冷気拡散装置においては、駆動手段により、冷房機器の冷気吹き出し口の前方に配置された回転軸を回転させることができる。そして、その回転軸に串刺し状に並べて取着された複数枚の円板、楕円板又はそれらに似た形状の板であって、回転軸に所定間隔ずつあけて、回転軸に対して同一方向にほぼ同一角度に傾斜させて並べて取着された複数枚の円板、楕円板又はそれらに似た形状の板を、冷気吹き出し口の前方で回転軸と共に回転させることができる。そして、その回転軸に串刺し状に並べて取着された複数枚の円板、楕円板又はそれらに似た形状の板を、冷房機器の冷気吹き出し口の前方から見て、繰り返し連続して順に、斜め右側に倒したり、斜め垂直に起立させたり、又は斜め左側に倒したりし続けることができる。そして、冷気吹き出し口から吐き出される冷気を、その回転軸に串刺し状に並べて取着された複数枚の円板、楕円板又はそれらに似た形状の板の内側や外側の表面に沿わせて、冷気吹き出し口の右前方向、中央前方向及び左前方向に繰り返し順に送り出し続けることができる。
【００１１】
そして、冷気吹き出し口の前方に配置された回転軸に串刺し状に並べて取着された複数枚の円板、楕円板又はそれらに似た形状の板が、冷気吹き出し口の前方から見て、斜め右側又は斜め左側に倒れた状態となった際には、その斜め右側又は斜め左側に倒れた状態にある複数枚の円板、楕円板又はそれらに似た形状の板の内側や外側の表面に沿わせて冷気吹き出し口の右前方向又は左前方向に送り出す冷気に、その斜め右側又は斜め左側に倒れた状態にある複数枚の円板、楕円板又はそれらに似た形状の板の内側や外側の表面から大きな摩擦力を加え続けることができる。そして、その冷気吹き出し口の右前方向又は左前方向に送り出す冷気の風力を低下させることができる。そして、その冷気を冷房機器の右前方向又は左前方向に距離短く送り出すことができる。
また、冷気吹き出し口の前方に配置された回転軸に串刺し状に並べて取着された複数枚の円板、楕円板又はそれらに似た形状の板が、冷気吹き出し口の前方から見て、斜め垂直に起立した状態となった際には、その斜め垂直に起立した状態にある複数枚の円板、楕円板又はそれらに似た形状の板の内側や外側の表面に沿わせて冷気吹き出し口の中央前方向に送り出す冷気に、その斜め垂直に起立した状態にある複数枚の円板、楕円板又はそれらに似た形状の板の内側や外側の表面から小さな摩擦力を加え続けることができる。そして、その中央前方向に送り出される冷気の風力を、低下させずに、大きく保つことができる。そして、その冷気を、冷房機器の中央前方向に距離長く送り出すことができる。
そして、冷房機器の冷気吹き出し口から吐き出される冷気を、冷房機器の前方のきのこ栽培部屋内に、その底部が左右に広がったほぼ円錐に近い形状に立体的に送り出し続けることができる。
【００１２】
その結果、本考案の冷気拡散装置を、きのこ栽培部屋の対向する内側壁に交互に千鳥状にずらせて並べて設置された複数の各冷房機器の冷気吹き出し口の近くにそれぞれ取り付けることにより、その複数の冷気拡散装置を用いて、その複数の各冷房機器の冷気吹き出し口から吐き出される冷気を、その複数の冷房機器が設置されたきのこ部屋内の全体に過不足なくほぼ均等に送り込み続けることができる。そして、その複数の各冷房機器の冷気吹き出し口から吐き出される冷気より、きのこ栽培部屋内の全体をほぼ均等な温度に冷却したり、きのこ栽培部屋内の全体の空気をほぼ満遍なく撹拌したりできる。
【００１３】
また、きのこ栽培部屋が小部屋の場合であって、そのきのこ栽培部屋に１台の冷房機器のみしか設置されていない場合にも、その１台の冷房機器の冷気吹き出し口の近くに本考案の冷気拡散装置を取り付けることにより、その冷気拡散装置を用いて、その冷房機器の左右のきのこ栽培部屋内の側部を含む、きのこ栽培部屋内の全体に冷気を過不足なくほぼ均等に立体的に送り込み続けることができる。そして、そのきのこ栽培部屋内の全体をほぼ均等な温度に冷却したり、そのきのこ栽培部屋内の空気をほぼ満遍なく撹拌したりできる。
【００１４】
また、きのこ栽培部屋に設置された冷房機器の冷気吹き出し口が大きい場合には、その大型の冷気吹き出し口の近くに本考案の冷気拡散装置を２台以上並べて取り付けることにより、その２台以上の冷気拡散装置を用いて、その大型の冷気吹き出し口から吐き出される冷気をきのこ栽培部屋内の全体に過不足なくほぼ均等に立体的に送り込み続けることができる。そして、そのきのこ栽培部屋内の全体をほぼ均等な温度に冷却したり、そのきのこ栽培部屋内の空気をほぼ満遍なく撹拌したりできる。
【００１５】
加えて、冷房機器の冷気吹き出し口から冷気を吹き出すのを停止した際にも、本考案の冷気拡散装置を作動させることにより、その冷気拡散装置が備えられたきのこ栽培部屋内の全体の空気をほぼ満遍なく立体的に撹拌できる。そして、そのきのこ栽培部屋内の全体をほぼ均等な温度や湿度に保つことができる。それと共に、そのきのこ栽培部屋内の床面近くに生育中のきのこの菌糸が発生させる二酸化炭素が滞留し続けて、そのきのこ栽培部屋の床面近くの棚に置かれたきのこ栽培瓶内の培地で生育中のきのこが二酸化炭素の悪影響を受けるのを防ぐことができる。
【００１６】
本考案の冷気拡散装置においては、前記複数枚の円板、楕円板又はそれらに似た形状の板が、前記回転軸に対して、同一方向に約２０〜７０度のほぼ同一角度に傾斜させて、回転軸に串刺し状に並べて取着された構造とすることを好適としている。
【００１７】
この冷気拡散装置にあっては、冷房機器の冷気吹き出し口から吐き出される冷気を、同一方向に約２０〜７０度のほぼ同一角度に傾斜させて回転軸に串刺し状に並べて取着された複数枚の円板、楕円板又はそれらに似た形状の板の内側や外側の表面に沿わせて、きのこ栽培部屋内の大きさに合わせて、冷房機器の前方のきのこ栽培部屋内に底面が左右に適宜範囲に広がったほぼ円錐に近い形状に立体的に送り出すことができる。
【００１８】
本考案の冷気拡散装置においては、前記駆動手段が、該駆動手段が連結された回転軸の回転速度を所定範囲以内で変更させる速度可変機構が備えられたものであることを好適としている。
【００１９】
この冷気拡散装置にあっては、駆動手段により回転させる回転軸の回転速度を、速度可変機構を用いて、所定範囲内で速めたり遅くさせたりできる。そして、その回転軸に串刺し状に並べて取着された複数枚の円板、楕円板又はそれらに似た形状の板を、速く回転させたり遅く回転させたりできる。そして、その回転する複数枚の円板、楕円板又はそれらに似た形状の板の内側や外側の表面に沿わせて、きのこ栽培部屋内の右前方向、中央前方向及び左前方向に向けて繰り返し順に送り出す冷気の送り出し方向の変更速度を、冷房機器から吐き出される冷気の量や速度や冷房する部屋の大きさに合わせて、速めたり遅くしたりできる。
【考案の効果】
【００２０】
以上説明したように、本考案の冷気拡散装置によれば、冷房機器の冷気吹き出し口から吐き出される冷気を、その底面が左右に広がったほぼ円錐に近い形状に立体的に送り出すことができる。
その結果、本考案の冷気拡散装置を、きのこ栽培部屋の対向する内側壁の左右や上下に交互に千鳥状にずらせて並べて設置された複数の各冷房機器の冷気吹き出し口の近くにそれぞれ取り付けることにより、その複数の冷気拡散装置を用いて、その複数の各冷房機器の冷気吹き出し口から吐き出される冷気を、その複数の冷房機器が設置されたきのこ栽培部屋内の全体に過不足なくほぼ均等に送り込むことができる。そして、その複数の各冷房機器の冷気吹き出し口から吐き出される冷気により、きのこ栽培部屋内の全体をほぼ均等な温度に冷却したり、きのこ栽培部屋内の空気の全体をほぼ満遍なく撹拌したりできる。
また、きのこ栽培部屋が小部屋の場合であって、１台の冷房機器のみが設置されたきのこ栽培部屋の場合にも、その冷房機器の冷気吹き出し口に本考案の冷気拡散装置を取り付けることにより、その冷気拡散装置を用いて、その冷房機器の冷気吹き出し口から吐き出される冷気をきのこ栽培部屋内の全体にほぼ均等に立体的に送り込むことができる。そして、きのこ栽培部屋内の全体をほぼ均等な温度に冷却したり、きのこ栽培部屋内の空気の全体をほぼ満遍なく撹拌したりできる。
また、冷房機器の冷気吹き出し口から冷気を吹き出すのを停止した際にも、本考案の冷気拡散装置を作動させることにより、その冷気拡散装置が備えられたきのこ栽培部屋内の全体の空気をほぼ満遍なく立体的に撹拌できる。そして、そのきのこ栽培部屋内の全体の温度や湿度をほぼ均等に保つことができる。それと共に、きのこの菌糸が発生させる二酸化炭素がきのこ栽培部屋内の床面近くに滞留し続けて、その二酸化炭素がきのこ栽培部屋内の床面近くの棚に置かれたきのこ栽培瓶内の培地で生育中のきのこに悪影響を及ぼすのを防ぐことができる。
【考案を実施するための最良の形態】
【００２１】
図１と図２は本考案の冷気拡散装置の好適な実施の形態を示し、図１はその取り付け構造を示す平面図、図２はその取り付け構造を示す正面図である。以下に、この冷気拡散装置を説明する。
【００２２】
図の冷気拡散装置においては、冷房機器１０の冷気吹き出し口１２の前方に、回転軸２０が冷気吹き出し口１２とほぼ平行に回転自在に配置されている。具体的には、図１に示したように、回転軸２０の両端が、冷房機器１０の本体の両側の側部から延設された一対のアーム１４の先端に亙って、軸受け１６を介して、冷房機器の冷気吹き出し口１２の先端面とほぼ平行に回転自在に支持されている。
【００２３】
回転軸２０は、冷房機器の冷気吹き出し口１２の前方に回転軸２０に対して起立させて並べて配置された複数枚の円板、楕円板又はそれらに似た形状の板（図では円板）３０の中心部に連続して串刺し状に挿通されている。そして、その複数枚の円板、楕円板又はそれらに似た形状の板３０が、回転軸２０に所定間隔ずつあけて、回転軸２０に対して同一方向にほぼ同一角度に傾斜させて、冷気吹き出し口１２の前方で回転軸２０と共に回転可能に、串刺し状に並べて溶接等により取着されている。
【００２４】
回転軸２０には、該回転軸を回転させる駆動手段４０が連結されている。
駆動手段４０は、図２に示したように、回転軸２０の一端に取着されたスプロケット４２と、前記の一方のアーム１４の先端に搭載された減速機付きの電動モータ４４の出力軸に嵌着されたスプロケット４６と、それらのスプロケット４２、４６に亙ってループ状に巻掛けられた無端チェーン４８とから構成されている。そして、電動モータ４４を駆動させることにより、減速機、スプロケット４６、チェーン４８及びスプロケット４２を介して、回転軸２０をゆっくりと回転させる構造をしている。
【００２５】
図１と図２に示した冷気拡散装置は、以上のように構成されていて、この冷気拡散装置の使用に際しては、駆動手段４０の電動モータ４４を駆動させて、冷房機器の冷気吹き出し口１２の前方に配置された回転軸２０をゆっくりと回転させる。そして、その回転軸２０に串刺し状に並べて取着された複数枚の円板、楕円板又はそれらに似た形状の板３０であって、回転軸２０に所定間隔ずつあけて、回転軸２０に対して同一方向にほぼ同一角度に傾斜させて取着された複数枚の円板、楕円板又はそれらに似た形状の板３０を、冷気吹き出し口１２の前方で、上記の回転する回転軸２０と共に回転させる。そして、その回転軸２０に串刺し状に並べて取着された複数枚の円板、楕円板又はそれらに似た形状の板３０を、図３に示したように、冷房機器の冷気吹き出し口１２の前方から見て、繰り返し連続して順に、斜め右側に倒したり、斜め垂直に起立させたり、又は斜め左側に倒したりし続ける。そして、その冷房機器の冷気吹き出し口１２から吐き出される冷気を、その回転軸２０に串刺し状に並べて取着された複数枚の円板、楕円板又はそれらに似た形状の板３０の内側や外側の表面に沿わせて、冷気吹き出し口１２の右前方向、中央前方向及び左前方向に繰り返し順に送り出し続ける。
【００２６】
そして、冷気吹き出し口１２の前方に配置された回転軸２０に串刺し状に並べて取着された複数枚の円板、楕円板又はそれらに似た形状の板３０が、冷気吹き出し口１２の前方から見て、斜め右側又は斜め左側に倒れた状態となった際には、その斜め右側又は斜め左側に倒れた状態にある複数枚の円板、楕円板又はそれらに似た形状の板３０の内側や外側の表面に沿わせて冷気吹き出し口１２の右前方向又は左前方向に送り出す冷気に、その斜め右側又は斜め左側に倒れた状態にある複数枚の円板、楕円板又はそれらに似た形状の板３０の内側や外側の表面から大きな摩擦力を加え続ける。そして、その冷気吹き出し口１２の右前方向又は左前方向に送り出す冷気の風力を低下させる。そして、その冷気を冷房機器１０の右前方向又は左前方向に距離短く送り出す。
また、冷気吹き出し口１２の前方に配置された回転軸２０に串刺し状に並べて取着された複数枚の円板、楕円板又はそれらに似た形状の板３０が、冷気吹き出し口１２の前方から見て、斜め垂直に起立した状態となった際には、その斜め垂直に起立した状態にある複数枚の円板、楕円板又はそれらに似た形状の板３０の内側や外側の表面に沿わせて冷気吹き出し口１２の中央前方向に送り出す冷気に、その斜め垂直に起立した状態にある複数枚の円板、楕円板又はそれらに似た形状の板３０の内側や外側の表面から小さな摩擦力を加え続ける。そして、その冷気吹き出し口１２の中央前方向に送り出される冷気の風力を、低下させずに、大きく保つ。そして、その冷気を、冷房機器１０の中央前方向に距離長く送り出す。
そして、図４に示したように、冷房機器の冷気吹き出し口１２から吐き出される冷気を、冷房機器１０の前方のきのこ栽培部屋内に、その底部が左右に広がったほぼ円錐に近い形状に立体的に送り出し続ける。
【００２７】
また、図１と図２に示した冷気拡散装置の使用に際しては、その冷気拡散装置を、図４に示したように、きのこ栽培部屋内の対向する内側壁５０の左右や上下に交互に千鳥状にずらせて並べて設置された複数の各冷房機器１０の冷気吹き出し口１２の近くにそれぞれ取り付ける。そして、その複数の冷気拡散装置を用いて、その複数の各冷房機器の冷気吹き出し口１２から吐き出される冷気を、その複数の冷房機器１０が設置されたきのこ部屋内の全体に過不足なくほぼ均等に立体的に送り込む。そして、その複数の各冷房機器の冷気吹き出し口１２から吐き出される冷気より、きのこ栽培部屋内の全体をほぼ均等な温度に冷却したり、きのこ栽培部屋内の全体の空気をほぼ満遍なく撹拌したりする。
【００２８】
また、きのこ栽培部屋が小部屋の場合であって、そのきのこ栽培部屋に１台の冷房機器１０のみしか設置されていない場合にも、その１台の冷房機器の冷気吹き出し口１２の近くに図１と図２に示した冷気拡散装置を取り付ける。そして、その冷気拡散装置を用いて、その冷房機器１０の左右のきのこ栽培部屋内の側部を含む、きのこ栽培部屋内の全体に冷気を過不足なくほぼ均等に立体的に送り込む。そして、そのきのこ栽培部屋内の全体をほぼ均等な温度に冷却したり、そのきのこ栽培部屋内の空気をほぼ満遍なく撹拌したりする。
【００２９】
また、きのこ栽培部屋に設置された冷房機器の冷気吹き出し口１２が大きい場合には、その大型の冷気吹き出し口１２の近くに図１と図２に示した冷気拡散装置を２台以上並べて取り付ける。そして、その２台以上の冷気拡散装置を用いて、その大型の冷気吹き出し口１２から吐き出される冷気をきのこ栽培部屋内の全体に過不足なくほぼ均等に立体的に送り込む。そして、そのきのこ栽培部屋内の全体をほぼ均等な温度に冷却したり、そのきのこ栽培部屋内の空気をほぼ満遍なく撹拌したりする。
【００３０】
加えて、冷房機器の冷気吹き出し口１２から冷気を吹き出すのを停止した際にも、その冷房機器の冷気吹き出し口１２の近くに取り付けられた、図１と図２に示した冷気拡散装置を作動させる。そして、その冷気拡散装置が備えられたきのこ栽培部屋内の全体の空気をほぼ満遍なく立体的に撹拌する。そして、そのきのこ栽培部屋内の全体をほぼ均等な温度や湿度に保つ。それと共に、そのきのこ栽培部屋の床面近くにきのこの菌糸が発生させる二酸化炭素が滞留し続けるのを、防ぐ。そして、そのきのこ栽培部屋の床面近くの棚に置かれたきのこ栽培瓶内の培地で生育中のきのこが二酸化炭素の悪影響を受けるのを防ぐ。
【００３１】
図１と図２に示した冷気拡散装置においては、複数枚の円板、楕円板又はそれらに似た形状の板３０を、回転軸２０に対して、同一方向に約２０〜７０度のほぼ同一角度に傾斜させて、回転軸２０に串刺し状に並べて取着すると良い。
そして、冷房機器の冷気吹き出し口１２から吐き出される冷気を、その同一方向に約２０〜７０度のほぼ同一角度に傾斜させて回転軸２０に串刺し状に並べて取着された複数枚の円板、楕円板又はそれらに似た形状の板３０の内側や外側の表面に沿わせて、きのこ栽培部屋内の大きさに合わせて、冷房機器１０の前方のきのこ栽培部屋内に底面が左右に適宜範囲に広がったほぼ円錐に近い形状に立体的に送り出すと良い。
【００３２】
また、駆動手段４０には、該駆動手段が連結された回転軸２０の回転速度を所定範囲以内で変更させる速度可変機構（図示せず）を備えると良い。速度可変機構は、電動モータ４４の減速機に内蔵されたギアを交換する構造のものとすると良い。
そして、駆動手段４０により回転させる回転軸２０の回転速度を、速度可変機構を用いて、所定範囲内で速めたり遅くさせたりできるようにすると良い。そして、その回転軸２０に串刺し状に並べて取着された複数枚の円板、楕円板又はそれらに似た形状の板３０を、速く回転させたり遅く回転させたりすると良い。そして、その回転する複数枚の円板、楕円板又はそれらに似た形状の板３０の内側や外側の表面に沿わせて、きのこ栽培部屋内の右前方向、中央前方向及び左前方向に向けて繰り返し順に送り出す冷気の送り出し方向の変更速度を、冷房機器の冷気吹き出し口から吐き出される冷気の量や速度や冷房する部屋の大きさに合わせて、速めたり遅くしたりすると良い。
【産業上の利用可能性】
【００３３】
本考案の冷気拡散装置は、きのこ栽培部屋内に設置された冷房機器から吐き出される冷気を、きのこ栽培部屋内に満遍なく拡散させる装置には勿論、それ以外の様々の用途に使用される部屋内に設置された冷房機器から吐き出される冷気を、その部屋内の全体に亙って満遍なく拡散させる装置にも、広く利用可能である。
【図面の簡単な説明】
【００３４】
【図１】本考案の冷気拡散装置の取り付け構造を示す平面図である。
【図２】本考案の冷気拡散装置の取り付け構造を示す正面図である。
【図３】本考案の冷気拡散装置の円板、楕円板及びそれらに似た形状の板の傾斜が変化する状態を示す説明図である。
【図４】本考案の冷気拡散装置が取り付けられた冷房機器の冷気吹き出し口から吐き出される冷気の形状を示す説明図である。
【符号の説明】
【００３５】
１０  冷房機器
１２  冷気吹き出し口
１４  アーム  
１６  軸受け
２０  回転軸
３０  円板、楕円板又はそれらに似た形状の板
４０  駆動手段
【図１】
0003117127.tif 000003
【図２】
0003117127.tif 000004
【図３】
0003117127.tif 000005
【図４】
0003117127.tif 000006